(57)【特許請求の範囲】
【請求項１】
ＰＤＨ信号を多重化したＳＤＨ信号を二つの伝送路に送出する伝送装置であって、
ＰＤＨ信号をＳＤＨ信号にマッピングする際に付加されるパスオーバヘッドにマルチフレーム識別データと低次パスの信号にもとづくＢＩＰ−８演算結果とを設定するデータ設定手段と、
前記二つの伝送路のうちの第１伝送路を介して受信された低次パスの信号を対象としてＢＩＰ−８演算を実行して得られたＢＩＰ−８演算結果と前記パスオーバヘッドに設定されているＢＩＰ−８演算結果とを比較することによって回線品質を判定する第１回線品質判定手段と、
前記二つの伝送路のうちの第２伝送路を介して受信された低次パスの信号を対象としてＢＩＰ−８演算を実行して得られたＢＩＰ−８演算結果と前記パスオーバヘッドに設定されているＢＩＰ−８演算結果とを比較することによって回線品質を判定する第２回線品質判定手段と、
前記第１伝送路を介して受信された信号と前記第２伝送路を介して受信された信号とを、前記パスオーバヘッドに設定されているマルチフレーム識別データを用いて同期させて出力する同期手段と、
前記同期手段が出力する信号のうちのいずれかの信号を選択し、前記第１回線品質判定手段と前記第２回線品質判定手段とのうちの当該選択している信号に対応する方の回線品質判定手段が回線品質の劣化を検出した場合に、選択する信号を他方の信号に切り替える選択手段と
を備えたことを特徴とする伝送装置。
【請求項２】
同期手段は、第１伝送路を介して受信された信号を遅延させる第１遅延メモリと、第２伝送路を介して受信された信号を遅延させる第２遅延メモリと、パスオーバヘッドに設定されているマルチフレーム識別データを用いて前記第１遅延メモリの信号出力タイミングと前記第２遅延メモリの信号出力タイミングとを同期させる遅延制御部とを含む
請求項１記載の伝送装置。
【請求項３】
データ設定手段は、パスオーバヘッドにおける空きオーバヘッドバイトにマルチフレーム識別データとＢＩＰ−８演算結果とを設定する
請求項１または請求項２記載の伝送装置。
【請求項４】
ＰＤＨ信号をＳＤＨのＶＣ−１１パス、ＶＣ−１２パスまたはＶＣ−２パスにマッピングする多重化手段を備えた
請求項１から請求項３のうちのいずれか１項に記載の伝送装置。
【請求項５】
ＰＤＨ信号をＳＤＨ信号にマッピングする際に付加されるパスオーバヘッドにマルチフレーム識別データと低次パスの信号にもとづくＢＩＰ−８演算結果とを設定して二つの伝送路に送出し、
前記二つの伝送路のうちの第１伝送路を介して受信された低次パスの信号を対象としてＢＩＰ−８演算を実行して得られたＢＩＰ−８演算結果と前記パスオーバヘッドに設定されているＢＩＰ−８演算結果とを比較することによって回線品質を判定する第１回線品質判定処理を実行し、
前記二つの伝送路のうちの第２伝送路を介して受信された低次パスの信号を対象としてＢＩＰ−８演算を実行して得られたＢＩＰ−８演算結果と前記パスオーバヘッドに設定されているＢＩＰ−８演算結果とを比較することによって回線品質を判定する第２回線品質判定処理を実行し、
前記第１伝送路を介して受信された信号と前記第２伝送路を介して受信された信号とを、前記パスオーバヘッドに設定されているマルチフレーム識別データを用いて同期させて出力し、
出力した信号のうちのいずれかの信号を選択し、前記第１回線品質判定処理と前記第２回線品質判定処理とのうちの当該選択している信号に対応する方の回線品質判定処理で回線品質の劣化が検出された場合に、選択する信号を他方の信号に切り替える
ことを特徴とする伝送路無瞬断切替方法。
【発明の詳細な説明】
【技術分野】
【０００１】
本発明は、ＳＤＨ／ＳＯＮＥＴ伝送システムにおける低次パスの伝送路無瞬断切替を行う無瞬断切替機能を備えた伝送装置および伝送路無瞬断切替方法に関する。
【背景技術】
【０００２】
ＳＤＨ／ＳＯＮＥＴ（Synchronous Digital Hierarchy/Synchronous Optical Network ）伝送システムにおいて、伝送装置が、ＰＤＨ（Plesiochronous Digital Hierarchy）信号によって通信を行うＰＤＨ伝送装置に接続されるとき、ＳＤＨ／ＳＯＮＥＴの伝送装置は、ＰＤＨ伝送装置から送信されてくる複数の通信を多重化し、複数の伝送路を介して多重化したＳＤＨ信号の伝送を行う。多重化されたＳＤＨ信号の伝送において、伝送路上にエラーが検出された場合には、伝送装置は、多重化する前の元の通信単位で、受信するＳＤＨ信号の伝送路を切り替えることが好ましい。
【０００３】
図６は、一般的なＳＤＨ／ＳＯＮＥＴ伝送システムにおける伝送装置の送信部の構成を示すブロック図である。図７は、一般的なＳＤＨ／ＳＯＮＥＴ伝送システムにおける伝送装置の受信部の構成を示すブロック図である。図６および図７を参照して、一般的なＳＤＨ／ＳＯＮＥＴ伝送システムにおける伝送装置の構成例を説明する。図６および図７に示す伝送装置では、ＶＣ（Virtual Container ）−１１パス、ＶＣ−１２パスまたはＶＣ−２パスなどの低次パスでＰＤＨ信号が伝送される。
【０００４】
送信部４０１では、例えば、受信インタフェース部１１０が、ＰＤＨ伝送装置（図示せず）からＰＤＨ信号を受信する。ＯＨ挿入部１２０は、受信したＰＤＨ信号に対してＰＯＨ（Path OverHead ）を付加した後、ＳＤＨ信号にマッピングする。低次パスのＰＯＨは、Ｖ５バイト１２１、Ｊ２バイト１２２、Ｎ２バイト１２３およびＫ４バイト１２４を含む。ＯＨ挿入部１２０は、パストレース機能生成部１４０、タンデムコネクション機能生成部１４１および切替制御機能生成部１４２が生成したデータをＰＯＨに挿入する。その後、ＰＯＨが付加されたＰＤＨ信号はＳＤＨ信号に多重化され、分岐部１５０に出力される。分岐部１５０に出力されたＳＤＨ信号は分岐されて、送信インタフェース部１６０，１６１から、異なる伝送路に送出される。
【０００５】
受信部４０２では、例えば、受信インタフェース部２１０，２１１が、異なる伝送路を介してＳＤＨ信号を受信する。ＯＨ抽出部２２０は、受信インタフェース部２１０が受信したＳＤＨ信号における低次パスの信号のＰＯＨからデータを抽出し、パストレース機能抽出部２４０、タンデムコネクション機能抽出部２４１および切替制御機能抽出部２４２に抽出したデータを出力する。そして、ＯＨ抽出部２２０は、受信した信号を選択部２６０に出力する。
【０００６】
ＯＨ抽出部２２５は、受信インタフェース部２１１が受信したＳＤＨ信号における低次パスの信号のＰＯＨからデータを抽出し、パストレース機能抽出部２４５、タンデムコネクション機能抽出部２４６および切替制御機能抽出部２４７に抽出したデータを出力する。そして、ＯＨ抽出部２２５は、受信した信号を選択部２６０に出力する。
【０００７】
選択部２６０は、ＯＨ抽出部２２０，２２５から入力された二つの信号のうちのどちらかを選択する。送信インタフェース部２７０は、選択部２６０によって選択された信号をＰＤＨ信号にデマッピングし、デマッピングしたＰＤＨ信号を伝送装置に接続されているＰＤＨ伝送装置（図示せず）に送出する。
【０００８】
このような伝送装置では、信号の受信対象の伝送路（現用系の伝送路）の回線品質が低下すると、信号の連続性が損なわれないようにして受信対象を他方の伝送路（予備系の伝送路）に切り替えることによって、伝送路の無瞬断切替が実現される。
【０００９】
伝送路無瞬断切替のトリガの多くは、伝送路上のエラー混入である。伝送路上のエラー混入を検出する誤り検出機能として、ＩＴＵ−Ｔ勧告Ｇ．７０７では、高次パスの場合にはＢＩＰ（Bit Interleaved Parity）−８が規定され、低次パスの場合にはＢＩＰ−２が規定されている。特許文献１には、ＳＤＨ／ＳＯＮＥＴ伝送システムにおける高次パスの伝送路無瞬断切替を行う伝送装置が記載されている。
【００１０】
特許文献１に記載された伝送装置の送信部では、高次パスのＰＯＨにマルチフレーム識別データを付加してＳＤＨ信号を送信する。特許文献１に記載された伝送装置の受信部では、受信した信号を遅延メモリに一時格納するとともに、高次パスのＰＯＨに挿入されたマルチフレーム識別データにもとづいてマルチフレーム同期を行うことによって高次パスの伝送路無瞬断切替を行う。
【００１１】
特許文献２には、送信側で高次パスのＰＯＨにマルチフレーム識別データを付加してＳＤＨ信号を送信し、受信側で高次パスのＰＯＨに挿入されたマルチフレーム識別データにもとづいてマルチフレーム同期を行うとともに、高次パスのＰＯＨにおけるＢ３バイトに設定されるパリティ演算結果を用いて伝送路無瞬断切替を行う伝送システムが記載されている。
【先行技術文献】
【特許文献】
【００１２】
【特許文献１】特開２００４−１８６９８０号公報（段落００１０−００１２）
【特許文献２】特開２００５−２６０８２０号公報（段落００３８−００４０）
【発明の概要】
【発明が解決しようとする課題】
【００１３】
特許文献１には、遅延メモリとＰＯＨに設定されたマルチフレーム識別データを用いて伝送路無瞬断切替を行うことが記載されているが、何を伝送路切替の契機にするのかについては記載されていない。特許文献２には、ＰＯＨに設定されたパリティ演算結果を用いてエラーが検出されたことを伝送路切替の契機にすることが記載されているが、切替の対象はＶＣ−４パスなどの高次パスである。
【００１４】
そこで、本発明は、第１の伝送路と第２の伝送路とを有する伝送システムにおいて低次パスについて回線品質がよい方の伝送路に確実に無瞬断切替を行うことができる伝送装置および伝送路無瞬断切替方法を提供することを目的とする。
【課題を解決するための手段】
【００１５】
本発明による伝送装置は、ＰＤＨ信号を多重化したＳＤＨ信号を二つの伝送路に送出する伝送装置であって、ＰＤＨ信号をＳＤＨ信号にマッピングする際に付加されるパスオーバヘッドにマルチフレーム識別データと低次パスの信号にもとづくＢＩＰ−８演算結果とを設定するデータ設定手段と、二つの伝送路のうちの第１伝送路を介して受信された低次パスの信号を対象としてＢＩＰ−８演算を実行して得られたＢＩＰ−８演算結果とパスオーバヘッドに設定されているＢＩＰ−８演算結果とを比較することによって回線品質を判定する第１回線品質判定手段と、二つの伝送路のうちの第２伝送路を介して受信された低次パスの信号を対象としてＢＩＰ−８演算を実行して得られたＢＩＰ−８演算結果とパスオーバヘッドに設定されているＢＩＰ−８演算結果とを比較することによって回線品質を判定する第２回線品質判定手段と、第１伝送路を介して受信された信号と第２伝送路を介して受信された信号とを、パスオーバヘッドに設定されているマルチフレーム識別データを用いて同期させて出力する同期手段と、同期手段が出力する信号のうちのいずれかの信号を選択し、第１回線品質判定手段と第２回線品質判定手段とのうちの当該選択している信号に対応する方の回線品質判定手段が回線品質の劣化を検出した場合に、選択する信号を他方の信号に切り替える選択手段とを備えたことを特徴とする。
【００１６】
本発明による伝送路無瞬断切替方法は、ＰＤＨ信号をＳＤＨ信号にマッピングする際に付加されるパスオーバヘッドにマルチフレーム識別データと低次パスの信号にもとづくＢＩＰ−８演算結果とを設定して二つの伝送路に送出し、二つの伝送路のうちの第１伝送路を介して受信された低次パスの信号を対象としてＢＩＰ−８演算を実行して得られたＢＩＰ−８演算結果とパスオーバヘッドに設定されているＢＩＰ−８演算結果とを比較することによって回線品質を判定する第１回線品質判定処理を実行し、二つの伝送路のうちの第２伝送路を介して受信された低次パスの信号を対象としてＢＩＰ−８演算を実行して得られたＢＩＰ−８演算結果とパスオーバヘッドに設定されているＢＩＰ−８演算結果とを比較することによって回線品質を判定する第２回線品質判定処理を実行し、第１伝送路を介して受信された信号と第２伝送路を介して受信された信号とを、パスオーバヘッドに設定されているマルチフレーム識別データを用いて同期させて出力し、出力した信号のうちのいずれかの信号を選択し、第１回線品質判定処理と第２回線品質判定処理とのうちの当該選択している信号に対応する方の回線品質判定処理で回線品質の劣化が検出された場合に、選択する信号を他方の信号に切り替えることを特徴とする。
【発明の効果】
【００１７】
本発明によれば、第１の伝送路と第２の伝送路とを有する伝送システムにおいて低次パスについて回線品質がよい方の伝送路に確実に無瞬断切替を行うことができる。
【図面の簡単な説明】
【００１８】
【図１】本発明による伝送装置を適用することが可能な伝送システムの構成例を示すブロック図である。
【図２】図１に示す伝送装置の送信部の構成を示すブロック図である。
【図３】図１に示す伝送装置の受信部の構成を示すブロック図である。
【図４】ＶＣのフレーム構成例を示す説明図である。
【図５】本発明による伝送装置の主要部を示すブロック図である。
【図６】一般的なＳＤＨ／ＳＯＮＥＴ伝送システムにおける伝送装置の送信部の構成を示すブロック図である。
【図７】一般的なＳＤＨ／ＳＯＮＥＴ伝送システムにおける伝送装置の受信部の構成を示すブロック図である。
【発明を実施するための形態】
【００１９】
図１は、本発明による伝送装置を適用することが可能な伝送システムの構成例を示すブロック図である。図２は、図１に示す伝送装置の送信部の構成を示すブロック図である。図３は、図１に示す伝送装置の受信部の構成を示すブロック図である。図１〜図３を参照して、本実施形態の伝送装置の構成を説明する。図１および図２に示す伝送装置では、ＶＣ−１１パス、ＶＣ−１２パスまたはＶＣ−２パスなどの低次パスでＰＤＨ信号が伝送される。
【００２０】
図１に示す伝送装置１００は、送信部１０１および受信部１０２を備える。伝送装置２００は、送信部２０１および受信部２０２を備える。伝送装置１００と伝送装置２００とは、伝送路３０１，３０２を介して対向し、ＳＤＨ信号を伝送する。また、伝送装置１００，２００には、ＰＤＨ信号を送受信するＰＤＨ伝送装置（図示せず）が接続される。
【００２１】
図２を参照して、送信部１０１の構成を説明する。送信部１０１は、伝送装置１００がＰＤＨ伝送装置から受信したＰＤＨ信号に対してＰＯＨを付加した後、ＳＤＨ信号にマッピングし、当該ＳＤＨ信号を分岐させて、異なる伝送路３０１，３０２を介して伝送装置２００に送出する。
【００２２】
送信部１０１は、受信インタフェース部１１０、ＯＨ挿入部１２０、挿入制御部１３０、パストレース機能生成部１４０、タンデムコネクション機能生成部１４１、切替制御機能生成部１４２、マルチフレーム生成部１４３、ＢＩＰ−８演算部１４４、分岐部１５０、および送信インタフェース部１６０，１６１を備える。
【００２３】
受信インタフェース部１１０は、ＳＤＨ信号を受信する。受信インタフェース部１１０は、受信したＳＤＨ信号をＯＨ挿入部１２０に出力する。
【００２４】
図４は、ＶＣのフレーム構成例を示す説明図である。図４に示すＶＣの構成は、ＩＴＵ−Ｔ勧告Ｇ．７０７によって規定されたＶＣ−１１、ＶＣ−１２、ＶＣ−２のフレーム構成である。図４に示すＶＣのＰＯＨにおけるＶ５、Ｊ２、Ｎ２、Ｋ４の各バイトは、図２に示すＶ５バイト１２１、Ｊ２バイト１２２、Ｎ２バイト１２３、Ｋ４バイト１２４に対応している。
【００２５】
ＯＨ挿入部１２０は、受信インタフェース部１１０から入力したＰＤＨ信号に、ＰＯＨ（Ｖ５バイト１２１、Ｊ２バイト１２２、Ｎ２バイト１２３およびＫ４バイト１２４のオーバヘッドバイトを含む。）を付加する。ＯＨ挿入部１２０は、挿入制御部１３０の制御に従って、所定のデータをオーバヘッドバイトに設定する。その後、ＰＯＨが付加されたＰＤＨ信号はＳＤＨ信号に多重化され、分岐部１５０に出力される。
【００２６】
挿入制御部１３０は、マッピングパストレース機能生成部１４０、タンデムコネクション機能生成部１４１、切替制御機能生成部１４２、マルチフレーム生成部１４３およびＢＩＰ−８演算部１４４から入力されるデータを、ＰＯＨのオーバヘッドバイトのどのバイトに挿入するかを制御する。挿入制御部１３０は、マッピングパストレース機能生成部１４０、タンデムコネクション機能生成部１４１、切替制御機能生成部１４２、マルチフレーム生成部１４３およびＢＩＰ−８演算部１４４から入力されたデータとともに、それらのデータをどのオーバヘッドバイトに設定するのかを示す情報を挿入制御部１３０に出力する。
【００２７】
パストレース機能生成部１４０は、パストレース機能のためのデータを生成する。タンデムコネクション機能生成部１４１は、タンデムコネクション機能のためのデータを生成する。切替制御機能生成部１４２は、低次パスの切替制御に使用されるデータを生成する。例えば、低次パスの切替制御に使用されるデータには、データフレームのどこに、どの低次パスからのデータが積まれているのかを特定可能なデータが含まれる。マルチフレーム生成部１４３は、マルチフレーム識別データ（以下、マルチフレームという。）を生成する。マルチフレーム生成部１４３によって生成されたマルチフレームは、受信部１０２で、ＳＤＨ信号の同期をとるために用いることができる。マッピングパストレース機能生成部１４０、タンデムコネクション機能生成部１４１、切替制御機能生成部１４２、マルチフレーム生成部１４３によって生成されたデータは、挿入制御部１３０に出力される。
【００２８】
ＢＩＰ−８演算部１４４は、ＯＨ挿入部１２０から出力される低次パスの信号に対して、ＢＩＰ−８の誤り監視演算を行う。ＢＩＰ−８は、高次パスやセクションの誤り監視に用いられるパリティチェックの方式であり、一般に低次パスで用いられるＢＩＰ−２よりも監視精度が高い。ＢＩＰ−８演算部１４４による誤り監視演算の演算結果を示すデータは、誤り監視データとして、挿入制御部１３０に出力される。
【００２９】
挿入制御部１３０は、マルチフレーム生成部１４３が生成したマルチフレームと誤り監視データとを、ＰＯＨのいずれのオーバヘッドバイトに挿入するのかを決定する。一例として、タンデムコネクション機能を使用しない場合には、Ｎ２バイトに挿入することに決定する。また、マルチフレームを、Ｋ４バイトの空きビットに挿入することに決定する。
【００３０】
分岐部１５０は、ＯＨ挿入部１２０から入力されたＳＤＨ信号を分岐させ、送信インタフェース部１６０，１６１に出力する。
【００３１】
送信インタフェース部１６０，１６１は、分岐部１５０から入力されたＳＤＨ信号を、それぞれの伝送路３０１，３０２に送出する。例えば、送信インタフェース部１６０は、伝送路３０１にＳＤＨ信号を送出する。送信インタフェース部１６１は、伝送路３０２にＳＤＨ信号を送出する。
【００３２】
図３を参照して、受信部１０２の構成を説明する。受信部１０２は、伝送装置２００から異なる伝送路３０１，３０２を介してＳＤＨ信号を受信する。そして、ＳＤＨ信号をＰＤＨ信号にデマッピングしてＰＤＨ伝送装置に送出する。
【００３３】
受信部１０２は、受信インタフェース部２１０，２１１、ＯＨ抽出部２２０，２２５、抽出制御部２３０，２３１、パストレース機能生成部２４０，２４５、タンデムコネクション機能生成部２４１，２４６、切替制御機能生成部２４２，２４７、マルチフレーム生成部２４３，２４８、ＢＩＰ−８演算部２４４，２４９、無瞬断切替部２５０、選択部２６０、および送信インタフェース部２７０，２７１を備える。
【００３４】
受信インタフェース部２１０，２１１のそれぞれは、いずれかの伝送路３０１，３０２を介してＳＤＨ信号を受信する。例えば、受信インタフェース部２１０は、伝送路３０１から受信したＳＤＨ信号をＯＨ抽出部２２０に出力する。受信インタフェース部２１１は、伝送路３０２から受信したＳＤＨ信号をＯＨ抽出部２２５に出力する。
【００３５】
ＯＨ抽出部２２０は、受信インタフェース部２１０から入力されたＰＯＨのオーバヘッドバイト（Ｖ５バイト２２１、Ｊ２バイト２２２、Ｎ２バイト２２３、Ｋ４バイト２２４を含む。）からデータを抽出する。ＯＨ抽出部２２０は、抽出したオーバヘッドバイトのデータを抽出制御部２３０に出力する。ＯＨ抽出部２２０は、受信インタフェース部２１０から入力された信号を、無瞬断切替部２５０のマルチフレーム同期部２５１および遅延メモリ２５２に出力する。
【００３６】
抽出制御部２３０は、ＯＨ抽出部２２０から入力されたデータを、パストレース機能抽出部２４０、タンデムコネクション機能抽出部２４１、切替制御機能抽出部２４２、マルチフレーム抽出部２４３およびＢＩＰ−８演算抽出部２４４のうちのデータを使用する部分に出力する。
【００３７】
パストレース機能抽出部２４０は、抽出制御部２３０によって入力されたデータから、パストレース機能のためのデータを抽出する。切替制御機能抽出部２４２は、抽出制御部２３０によって入力されたデータから、低次パスの切替制御機能に使用されるデータを抽出する。
【００３８】
例えば、受信インタフェース部２１１が受信した信号において、ＰＯＨのＮ２バイト２２１にＢＩＰ−８の誤り監視データが設定されている場合には、抽出制御部２３０は、ＯＨ抽出部２２０が抽出したＮ２バイト２２１のデータをＢＩＰ−８演算抽出部２４４に出力する。また、マルチフレームがＫ４バイト２２４に設定されている場合には、抽出制御部２３０は、ＯＨ抽出部２２０が抽出したＫ４バイト２２１のデータをマルチフレーム抽出部２４３に出力する。
【００３９】
ＢＩＰ−８演算抽出部２４４は、抽出制御部２３０によって入力されたデータから、ＳＤＨ信号の送信元で挿入された誤り監視データを抽出する。また、ＢＩＰ−８演算抽出部２４４は、受信された低次パスの信号を対象としてＢＩＰ−８演算を行う。そして、ＢＩＰ−８演算抽出部２４４は、抽出した誤り監視データと演算結果とを比較して、受信インタフェース部２１０が受信した低次パスの信号に対して伝送路のエラー（誤り）が発生していないか判定する。ＢＩＰ−８演算抽出部２４４は、誤り監視の判定結果を選択部２６０に出力する。マルチフレーム抽出部２４３は、抽出制御部２３０によって入力されたデータから、マルチフレーム位相の検出を行う。マルチフレーム抽出部２４３は、マルチフレーム位相の検出結果をマルチフレーム同期部２５１に出力する。
【００４０】
ＯＨ抽出部２２５は、受信インタフェース部２１１から入力されたＰＯＨのオーバヘッドバイト（Ｖ５バイト２２６、Ｊ２バイト２２７、Ｎ２バイト２２８、Ｋ４バイト２２９を含む。）からデータを抽出する。ＯＨ抽出部２２５は、抽出したオーバヘッドバイトのデータを抽出制御部２３１に出力する。そして、ＯＨ抽出部２２５は、受信インタフェース部２１１から入力された信号を、無瞬断切替部２５０のマルチフレーム同期部２５３および遅延メモリ２５４に出力する。
【００４１】
抽出制御部２３１は、ＯＨ抽出部２２０から入力されたデータを、パストレース機能抽出部２４５、タンデムコネクション機能抽出部２４６、切替制御機能抽出部２４７、マルチフレーム抽出部２４８およびＢＩＰ−８演算抽出部２４９のうちのデータを使用する部分に出力する。パストレース機能抽出部２４５、タンデムコネクション機能抽出部２４６、切替制御機能抽出部２４７、マルチフレーム抽出部２４８およびＢＩＰ−８演算抽出部２４９の機能は、それぞれ、パストレース機能抽出部２４０、タンデムコネクション機能抽出部２４１、切替制御機能抽出部２４２、マルチフレーム抽出部２４３、ＢＩＰ−８演算抽出部２４４の機能と同様である。
【００４２】
無瞬断切替部２５０は、マルチフレーム同期部２５１，２５３、遅延メモリ２５２，２５４、および遅延制御部２５５を含む。無瞬断切替部２５０は、ＯＨ抽出部２２０およびＯＨ抽出部２２５から入力された低次パスの信号のマルチフレーム位相を一致させる。無瞬断切替部２５０は、マルチフレーム位相を合わせた低次パスの信号を選択部２６０に送信する。
【００４３】
マルチフレーム同期部２５１は、マルチフレーム抽出部２４３によって検出されたマルチフレーム位相の検出結果にもとづいて、ＯＨ抽出部２２０から入力された信号に対するマルチフレーム位相情報を遅延制御部２５５に出力する。マルチフレーム同期部２５３は、マルチフレーム抽出部２４８によって検出されたマルチフレーム位相の検出結果にもとづいて、ＯＨ抽出部２２５から入力された信号に対するマルチフレーム位相情報を遅延制御部２５５に出力する。
【００４４】
遅延メモリ２５２は、ＯＨ抽出部２２０から出力された信号を一時的に蓄積する。遅延メモリ２５４は、ＯＨ抽出部２２５から出力された信号を一時的に蓄積する。遅延メモリ２５２，２５４に格納された信号は、遅延制御部２５５による遅延制御に従って、選択部２６０に出力される。
【００４５】
遅延制御部２５５は、マルチフレーム同期部２５１，２５３から入力された二つのマルチフレーム位相情報にもとづいて、遅延メモリ２５２，２５４から読み出される信号のマルチフレーム位相が一致するように、遅延メモリ２５２，２５４に格納された信号の遅延量の制御（遅延制御）を行う。例えば、遅延制御部２５５は、遅延制御によって、遅延メモリ２５２，２５４に格納されているそれぞれの信号の出力タイミングを調節する。なお、遅延制御部２５５による信号の遅延量の遅延制御には、マルチフレーム位相情報を利用した信号の同期制御として一般的に利用されている制御を用いることができる。
【００４６】
そして、遅延制御部２５５は、調節した出力タイミングで、遅延メモリ２５２，２５４が格納している信号を選択部２６０に出力する。その結果、遅延メモリ２５２，２５４によって二つの信号の遅延差は吸収され、選択部２６０に出力される二つの信号は、マルチフレーム位相の同期がとられた状態になる。
【００４７】
選択部２６０は、所定の伝送路切替条件に従って、無瞬断切替部２５０から入力された二つの信号（伝送路３０１を介して受信されたＳＤＨ信号にもとづく信号と、伝送路３０２を介して受信されたＳＤＨ信号にもとづく信号）のうちの１つを選択する。なお、所定の伝送路切替条件は、例えば、受信インタフェース部２１０が受信したＳＤＨ信号に対するＢＩＰ−８演算抽出部２４４による誤り監視の判定結果と、受信インタフェース部２１１が受信したＳＤＨ信号に対するＢＩＰ−８演算抽出部２４９による誤り監視の判定結果とにもとづいて決定される。
【００４８】
例えば、選択部２６０は、伝送路３０１を介して受信された信号を選択して出力しているときに（具体的には、遅延メモリ２５２の出力を選択しているときに）、ＢＩＰ−８演算抽出部２４４による誤り監視の判定結果が回線品質の劣化（例えば、あらかじめ決められているしきい値よりも低下）を示した場合には、伝送路３０２を介して受信された信号を選択して出力する状態に切り替わる。また、選択部２６０は、伝送路３０２を介して受信された信号を選択して出力しているときに（具体的には、遅延メモリ２５４の出力を選択しているときに）、ＢＩＰ−８演算抽出部２４８による誤り監視の判定結果が回線品質の劣化（例えば、あらかじめ決められているしきい値よりも低下）を示した場合には、伝送路３０１を介して受信された信号を選択して出力する状態に切り替わる。その結果、選択部２６０は、対向する伝送装置２００から受信するＳＤＨ信号の伝送路を、エラーが検出されない可能性が高い伝送路に切り替えることができる。なお、所定の伝送路切替条件は、ＢＩＰ−８演算抽出部２４４，２４９による誤り監視の判定結果以外の既存の制御等に従って決定されてもよい。
【００４９】
送信インタフェース部２７０は、選択部２６０によって選択された信号をＰＤＨ信号にデマッピングし、デマッピングしたＰＤＨ信号をＰＤＨ伝送装置に送信する。
【００５０】
以上のように、本実施形態では、伝送装置１００の送信部１０１において、ＰＤＨ伝送装置から受信したＰＤＨ信号に対して、ＰＤＨ信号をＳＤＨ信号にマッピングするときに付加されるオーバヘッドバイトにマルチフレームを挿入し、異なる伝送路３０１，３０２を介して伝送装置２００にＳＤＨ信号を送信する。伝送装置２００の受信部２０２では、異なる伝送路３０１，３０２を介して伝送装置１００から受信した低次パスの信号に対して、低次パスのＰＯＨから抽出したマルチフレームの同期をとり、マルチフレーム位相が一致するように遅延制御を行う。その結果、瞬断を発生させることなく低次パスの伝送路を切り替える（例えば、無瞬断で伝送路３０１から伝送路３０２に伝送路を切り替える）ことができる。
【００５１】
また、本実施形態では、受信部１０２において、ＢＩＰ−８演算抽出部２４４，２４９が、低次パスのＰＯＨから抽出した誤り監視データを用いてＢＩＰ−８による誤り監視を行うので、従来の低次パス用に規定されていたＢＩＰ−２による誤り監視と比較して、誤り監視の精度を向上させることができる。
【００５２】
さらに、このような伝送装置では、上述したようにＢＩＰ−８による誤り監視演算によって誤り監視の精度を向上することによって、より確実に伝送路の誤りを検出することができるので、受信部１０２の選択部２６０は、低次パスについて回線品質がよい方の伝送路に確実に無瞬断切替を行うことができる。
【００５３】
なお、本実施形態では、低次パスのＰＯＨに設定されたＢＩＰ−８演算結果を用いて低次パスの無瞬断切替を実現したが、ＢＩＰ−２演算結果を併用して低次パスの無瞬断切替を実現してもよい。例えば、ＢＩＰ−８演算にもとづく回線品質の判定結果とＶ５バイトに設定されるＢＩＰ−２演算にもとづく回線品質の判定結果とのいずれかが、回線品質の劣化（例えば、あらかじめ決められているしきい値よりも低下）を示した場合に、選択部２６０が切替を実行する。
【００５４】
また、このような伝送装置は、一般的なＳＤＨ／ＳＯＮＥＴ伝送システムにおける伝送装置（例えば、図６および図７に示す伝送装置）と共通の機能配備を含んで構成されているので、一般的なＳＤＨ／ＳＯＮＥＴ伝送システム向けの伝送装置に対して、低次パスの無瞬断切替にも対応した伝送装置に容易に機能拡張することができる。
【００５５】
図５は、本発明による伝送装置の主要部を示すブロック図である。図５に示すように、伝送装置１０（例えば、図１に示す伝送装置１００に相当）は、ＰＤＨ信号を多重化したＳＤＨ信号を二つの伝送路に送出する伝送装置であって、ＰＤＨ信号をＳＤＨ信号にマッピングする際に付加されるパスオーバヘッドにマルチフレーム識別データと低次パスの信号にもとづくＢＩＰ−８演算結果とを設定するデータ設定手段１１（例えば、図２に示すマルチフレーム生成部１４３、ＢＩＰ−８演算部１４４、ＯＨ挿入部１２０および挿入制御部１３０に相当）と、二つの伝送路のうちの第１伝送路（例えば、図１に示す伝送路３０１に相当）を介して受信された低次パスの信号を対象としてＢＩＰ−８演算を実行して得られたＢＩＰ−８演算結果とパスオーバヘッドに設定されているＢＩＰ−８演算結果とを比較することによって回線品質を判定する第１回線品質判定手段１２（例えば、図３に示すＢＩＰ−８演算抽出部２４４に相当）と、二つの伝送路のうちの第２伝送路（例えば、図１に示す伝送路３０２に相当）を介して受信された低次パスの信号を対象としてＢＩＰ−８演算を実行して得られたＢＩＰ−８演算結果とパスオーバヘッドに設定されているＢＩＰ−８演算結果とを比較することによって回線品質を判定する第２回線品質判定手段１３（例えば、図３に示すＢＩＰ−８演算抽出部２４９に相当）と、第１伝送路を介して受信された信号と第２伝送路を介して受信された信号とを、パスオーバヘッドに設定されているマルチフレーム識別データを用いて同期させて出力する同期手段１４（例えば、図３に示す無瞬断切替部２５０に相当）と、同期手段１４が出力する信号のうちのいずれかの信号を選択し、第１回線品質判定手段１２と第２回線品質判定手段１３とのうちの当該選択している信号に対応する方の回線品質判定手段が回線品質の劣化を検出した場合に、選択する信号を他方の信号に切り替える選択手段１５（例えば、図３に示す選択部２６０に相当）とを備えるように構成されている。
【００５６】
また、上記の実施形態では、以下の（１）〜（３）に示すような伝送装置も開示されている。
【００５７】
（１）同期手段１４は、第１伝送路を介して受信された信号を遅延させる第１遅延メモリ（例えば、図３に示す遅延メモリ２５２に相当）と、第２伝送路を介して受信された信号を遅延させる第２遅延メモリ（例えば、図３に示す遅延メモリ２５４に相当）と、パスオーバヘッドに設定されているマルチフレーム識別データを用いて第１遅延メモリの信号出力タイミングと第２遅延メモリの信号出力タイミングとを同期させる遅延制御部（例えば、図３に示す遅延制御部２５５に相当）とを含む伝送装置。
【００５８】
（２）データ設定手段１１は、パスオーバヘッドにおける空きオーバヘッドバイトにマルチフレーム識別データとＢＩＰ−８演算結果とを設定する（例えば、挿入制御部１３０の動作によって実現される。）伝送装置。
【００５９】
（３）ＰＤＨ信号をＳＤＨのＶＣ−１１パス、ＶＣ−１２パスまたはＶＣ−２パスにマッピングする多重化手段（例えば、図２に示すＯＨ挿入部１２０に相当）を備えた伝送装置。
【産業上の利用可能性】
【００６０】
本発明を、ＰＤＨ伝送装置に接続される伝送装置に適用できる。
【符号の説明】
【００６１】
１０  伝送装置
１１  データ設定手段
１２  第１回線品質判定手段
１３  第２回線品質判定手段
１４  同期手段
１５  選択手段
１００，２００  伝送装置
１０１，２０１，４０１  送信部
１０２，２０２，４０２  受信部
１１０  受信インタフェース部
１２０  ＯＨ挿入部
１２１  Ｖ５バイト
１２２  Ｊ２バイト
１２３  Ｎ２バイト
１２４  Ｋ４バイト
１３０  挿入制御部
１４０  パストレース機能生成部
１４１  タンデムコネクション機能生成部
１４２  切替制御機能生成部
１４３  マルチフレーム生成部
１４４  ＢＩＰ−８演算部
１５０  分岐部
１６０，１６１  送信インタフェース部
２１０，２１１  受信インタフェース部
２２０，２２５  ＯＨ抽出部
２２１，２２６  Ｖ５バイト
２２２，２２７  Ｊ２バイト
２２３，２２８  Ｎ２バイト
２２４，２２９  Ｋ４バイト
２３０，２３１  抽出制御部
２４０，２４５  パストレース機能抽出部
２４１，２４６  タンデムコネクション機能抽出部
２４２，２４７  切替制御機能抽出部
２４３，２４８  マルチフレーム抽出部
２４４，２４９  ＢＩＰ−８演算抽出部
２５０  無瞬断切替部
２５１，２５３  マルチフレーム同期部
２５２，２５４  遅延メモリ
２５５  遅延制御部
２６０  選択部
２７０  送信インタフェース部
３０１，３０２  伝送路
【図１】
0005533433.tif 000002
【図２】
0005533433.tif 000003
【図３】
0005533433.tif 000004
【図４】
0005533433.tif 000005
【図５】
0005533433.tif 000006
【図６】
0005533433.tif 000007
【図７】
0005533433.tif 000008